(57)【特許請求の範囲】
【請求項１】
基体と、該基体に保持されるバネと、該バネの付勢に抗して微調節幅で基体上を移動するスライダとを備えたウエストサイズ調節具において、
スライダは、スライダ本体とスライダ本体に枢着される操作レバーを備え、衣服のウエスト部にその両端が取着されるウエスト帯に対して前記スライダ本体と操作レバーで挟持可能として、ウエスト帯に対してスライダがスライド可能となることを特徴とするウエストサイズ調節具。
【請求項２】
スライダは、スライダ本体と該スライダ本体の上面から上方に軸受部を立設した構成とし、
操作レバーは、軸受部に枢着されるレバー軸部とウエスト帯を固定する係止部と回動端となるレバー先板部とを備え、
操作レバーの開放状態でスライダの上面と操作レバーとの間に開口を形成し、操作レバーの閉塞状態でスライダの上面と操作レバーの係止部でウエスト帯を挟持固定することを特徴とする請求項１記載のウエストサイズ調節具。
【請求項３】
基体は、基体底板と、スライダの移動を案内するスライダガイド部と、フック部材のフックを格納するためのフック先端収納部を備え、フック先端収納部の高さ寸法が、基体における基体底面からスライダガイド部までの高さ寸法以下であることを特徴とする請求項１又は２記載のウエストサイズ調節具。
【請求項４】
請求項１、２又は３記載のウエストサイズ調節具をウエスト部に備えた衣服。
【発明の詳細な説明】
【技術分野】
【０００１】
本発明は、衣服（例えば、ズボン、スカート等）のウエスト部に取着してウエスト周りのサイズを変更できる、ウエストサイズ調節具と、そのウエストサイズ調節具を取着してなる衣服等に関する。
【背景技術】
【０００２】
従来、ズボン、スカート等（以下、「衣服」という。）のウエスト部のサイズを調節するためのウエストサイズ調節具が公知である。このような衣服のウエストサイズ調節具のうち、特に、堅牢で耐久性に優れた、金属製のウエストサイズ調節具として本出願人がしたものとしては、例えば、ウエストサイズが自動調節できるようにウエスト帯の単一又は両側で開閉する打合せ部の一方の端部内面に取付けられる可動鉤ホックと、ウエスト帯の前記打合せ部の他方の端部外面に取付けられて前記可動鉤ホックの鉤片を掛止する受止具との一対からなり、前記可動鉤ホックが、弾性体収納空間及び摺動レールを形成した装着体と、掛け用隙間を確保して折返し形成した鉤片(32)を具備し且つ前記摺動レールに対するガイド手段となるレール覆縁によりスライドする鉤ホック主体と、これらの間となる弾性体収納空間に介装する弾性体とからなる調整用鉤ホックであって、前記可動鉤ホックと受止具とを、ウエストに沿って湾曲するとともに、前記レール覆縁には、摺動レールに当接する左右１対若しくは２対の突起を形成したことを特徴とする調整用鉤ホック（例えば、特許文献１参照。）が公知である。
【０００３】
上記特許文献１に係る調節用鉤ホックは、内蔵する弾性体（主として金属製の圧縮コイルバネ）を使用することで、着用者のウエストサイズの増減に応じて自動的に微調節を行うものである。
【０００４】
一方、本出願人がした衣服等のウエスト調節具についての他の出願として、衣類のウエスト部分を切り込んで形成した重なり部分の片面内側に配置したレール紐と、前記レール紐上をスライド可能であるとともに、特定の位置で係止可能なバックルと、前記バックルと前記重なり部分の他方の面を繋ぐ弾性体からなることを特徴とするウエストサイズの二段調整具（例えば、特許文献２参照。）が公知である。
【０００５】
上記特許文献２に係るウエスト調節具は、ウエストサイズの調節範囲をできるだけ大きくとることにより長期間にわたる体型変化に対応でき、且つ、微調節を自動的に行うことにより短時間の変化に対応できるウエストサイズの調節具である。
【先行技術文献】
【特許文献】
【０００６】
【特許文献１】特開２００２−１７４０９号公報
【特許文献２】特開２００４−１８３１９０号公報
【発明の概要】
【発明が解決しようとする課題】
【０００７】
上記特許文献１に係るウエスト調節具は、堅牢で耐久性に優れた構成であり、且つ、ウエストサイズの微調節を自動的に行うことができる点で優れている。
しかしながら、上記特許文献１に示す金属製のウエスト調節具は、長期間にわたる体型変化による大幅なウエストサイズの増減には対応することができない点で改良の余地があった。
【０００８】
上記特許文献２に係るウエスト調節具は、バックルと重なり部分の他方の面を繋ぐ弾性体を利用することによって、上記特許文献１では不可能であった、長期間にわたる体型変化と、ウエストサイズの微調節を自動的に行うことができるウエストサイズの調節具である点で非常に優れたものである。
【０００９】
しかしながら、上記特許文献２に係るウエスト調節具は、基本構成として、長期間にわたる体型変化と、ウエストサイズの微調節を実現するために夫々帯状体を利用し、更に自動的なウエスト調節のために折返したゴム紐を主とする弾性体を利用することもあり、多数の帯状体がウエスト調節箇所に重なった状態で存在するため、生地の重なりが増加して嵩高くなりやすい傾向を生じるとともに、調節に際して帯の判別が行いがたくなる点、製造工数が増加してコスト高となる点において、改良の余地があった。
【００１０】
また、上記特許文献２に係るウエスト調節具は、主としてゴム紐による弾性を利用するため、特許文献１の金属製のウエスト調節具と比べて、洗濯等を繰り返すことで弾性の低下を招来し易い点で、改良の余地があった。
【００１１】
更には、同特許文献２の実施例７に示すように、一定の構成によって、ウエスト調節箇所を薄手とすることが可能であるが、薄手とすることで、調節位置が段階的にしか行えなくなり、調節一箇所ごとに係止部を設ける必要が生じて製造コストが上昇する点に、依然として改良の余地があった。
【００１２】
本発明は、以上の事情に鑑みてなされたものであり、堅牢で耐久性に優れ、ウエスト調節位置に、複数本の帯体を利用することなく、長期間にわたる体型変化に対応でき、且つ、ウエストサイズの微調節を自動的に行うことができ、製造コストの低減を行える、優れたウエストサイズの調節具の提供を、発明が解決しようとする課題とする。
【課題を解決するための手段】
【００１３】
基体と、該基体に保持されるバネと、該バネの付勢に抗して微調節幅で基体上を移動するスライダとを備えたウエストサイズ調節具において、スライダは、スライダ本体と該スライダ本体に枢着される操作レバーを備え、衣服のウエスト部にその両端が取着されるウエスト帯に対して前記スライダ本体と操作レバーで挟持可能として、ウエスト帯に対してスライダがスライド可能となることを特徴とするウエストサイズ調節具を、課題を解決するための手段とする。
【発明の効果】
【００１４】
請求項１に係る発明によれば、基体と、該基体に保持されるバネと、該バネの付勢に抗して微調節幅で基体上を移動するスライダとを備えたウエストサイズ調節具において、スライダは、スライダ本体と該スライダ本体に枢着される操作レバーを備え、衣服のウエスト部にその両端が取着されるウエスト帯に対して前記スライダ本体と操作レバーで挟持可能として、ウエスト帯に対してスライダがスライド可能となるものとしたから、スライダ本体と操作レバーの間にウエスト帯を通してそのウエスト帯の両端をウエスト部の打合せ部の一方に縫着し、打合せ部の他方に当該ウエストサイズ調節具の基体を取着することによって、前記ウエスト帯に対して操作レバーを係脱させるだけで、ズボン、スカート等のウエスト部のサイズ調節を簡単に行うことができ、且つ、基体内に保持されるバネの付勢によりスライダ位置の自動的な微調節が行える。
【００１５】
そして、当該構成によって、調節に必要な帯状体を、ウエスト帯一本のみとすることができるので、調節する際に容易に調節手段を識別でき、簡単な操作で大幅なウエストサイズの調節を行え、堅牢で耐久性に優れ、より製造コストを低減でき、ウエストサイズ調節箇所の嵩張りを抑えることができる。
【００１６】
請求項２に係る発明によれば、上記請求項１に係る発明の構成を備えた上で、スライダは、スライダ本体と該スライダ本体の上面から上方に軸受部を立設した構成とし、操作レバーは、軸受部に枢着されるレバー軸部とウエスト帯を固定する係止部と回動端となるレバー先板部とを備え、操作レバーの開放状態でスライダの上面と操作レバーとの間に開口を形成し、操作レバーの閉塞状態でスライダの上面と操作レバーの係止部でウエスト帯を挟持固定することから、上記請求項１に係る発明の作用効果を、非常に簡素且つコンパクトな構成で実現することができる。
【００１７】
請求項３に係る発明によれば、上記請求項１又は請求項２に係る発明の構成を備えた上で、基体は、基体底板と、スライダの移動を案内するスライダガイド部と、フック部材のフックを格納するためのフック先端収納部を備え、フック先端収納部の高さ寸法が、基体における基体底面からスライダガイド部までの高さ寸法以下であるものとしたから、フックを案内収納するフック先端収納部を兼備したことによって、生地に対する取着が容易に行え、安全性にも優れ、フック先端収納部とスライダ後端部とが接触することなく、より十分なスライダの調節幅を確保し、機能性に優れた、ウエストサイズ調節具を提供することができる。
【００１８】
また請求項４に係る発明によれば、上記請求項１、請求項２又は請求項３に係るウエストサイズ調節具を備えたことから、上記請求項１、請求項２又は請求項３に係る発明の作用効果を奏する上に、ウエスト調節箇所が、洗濯耐久性に優れ、調節箇所の嵩張りを抑えることで、長期に亘って概観体裁に優れ、より低廉な衣服を提供することができる。
【図面の簡単な説明】
【００１９】
【図１】本発明の実施例に係るウエストサイズ調節具を示す斜視図。
【図２】本発明の実施例に係るウエストサイズ調節具の分解状態を示す斜視図。
【図３】本発明の実施例に係るウエストサイズ調節具の（ａ）正面図、（ｂ）背面図。
【図４】本発明の実施例に係るウエストサイズ調節具の（ａ）右側面図、（ｂ）左側面図。
【図５】本発明の実施例に係るウエストサイズ調節具の平面図。
【図６】本発明の実施例に係るウエストサイズ調節具の基体を示す（ａ）正面図、（ｂ）背面図。
【図７】本発明の実施例に係るウエストサイズ調節具の基体を示す（ａ）平面図、（ｂ）図６（ａ）のＡ−Ａ断面図。
【図８】本発明の実施例に係るウエストサイズ調節具の基体を示す（ａ）左側面図、（ｂ）右側面図である。
【図９】本発明の実施例に係るウエストサイズ調節具のスライダを示す（ａ）正面図、（ｂ）背面図。
【図１０】本発明の実施例に係るウエストサイズ調節具のスライダを示す（ａ）平面図、（ｂ）右側面図。
【図１１】本発明の実施例に係るウエストサイズ調節具のスライダを示す（ａ）図９（ａ）のＢ−Ｂ断面図、（ｂ）図１０のＣ−Ｃ断面図。
【図１２】本発明の実施例に係るウエストサイズ調節具の操作レバーを示す（ａ）正面図、（ｂ）背面図。
【図１３】本発明の実施例に係るウエストサイズ調節具の操作レバーを示す（ａ）平面図、（ｂ）右側面図、（ｃ）左側面図。
【図１４】本発明の実施例に係るウエストサイズ調節具のフック部材を示す（ａ）正面図、（ｂ）背面図。
【図１５】本発明の実施例に係るウエストサイズ調節具のフック部材を示す（ａ）平面図、（ｂ）右側面図。
【図１６】本発明の実施例に係るウエストサイズ調節具における操作レバーと基体の上面との（ａ）開放時、及び、（ｂ）閉塞時の関係を示す説明断面図。
【図１７】本発明の実施例に係るウエストサイズ調節具を衣服のウエスト部Ｗに取着した状態を示す、（ａ）平面図、及び（ｂ）正面側説明図。
【図１８】本発明の実施例に係るウエストサイズ調節具を衣服のウエスト部Ｗに取着した状態で、バネの反発弾性に抗して基体に対しスライダが移動した微調節状態を示す（ａ）平面図、及び（ｂ）正面側説明図。
【図１９】本発明の実施例に係るウエストサイズ調節具を、フック部材を被覆した状態で、衣服のウエスト部Ｗに取着した状態を示す平面図及び正面側説明図。
【発明を実施するための形態】
【００２０】
基体と、該基体に保持されるバネと、該バネの付勢に抗して微調節幅で基体上を移動するスライダとを備えたウエストサイズ調節具において、スライダは、スライダ本体とスライダ本体に枢着される操作レバーを備え、スライダは、スライダ本体と該スライダ本体の上面から上方に軸受部を立設した構成とし、操作レバーは、軸受部に枢着されるレバー軸部とウエスト帯を固定する係止部と回動端となるレバー先板部とを備え、操作レバーの開放状態でスライダの上面と操作レバーとの間に開口を形成し、操作レバーの閉塞状態でスライダの上面と操作レバーの係止部でウエスト帯を挟持固定可能として、ウエスト帯に対してスライダがスライド可能となるウエストサイズ調節具としたので、従来、金属製のウエストサイズ調節具ではなし得なかった、微調節及び大幅な調節を可能とする金属製のウエストサイズ調節具を実現した。また、本発明によって、微調節及び大幅な調節を可能とするウエストサイズ調節具に、堅牢で耐久性に優れ、低廉な提供を可能とした。更に、基体にフックを案内収納するフック先端収納部を兼備したことによって、生地に対する取着が容易に行え、安全性にも優れたウエスト調節具を実現した。また、フック先端収納部の高さを基体の底面からスライドガイド部の上面までの高さ寸法以内としたことによって、フックが外部に露出することを防止した上記安全性を確保した上で、フック先端収納部とスライダ後端部とが接触することなく、より十分なスライダの調節幅を確保したウエストサイズ調節具を実現した。
【実施例】
【００２１】
図１乃至図５は本発明の実施例に係るウエストサイズ調節具Ｔの全体構成を示す。本発明のウエストサイズ調節具Ｔの底面図は平面図と対称につき省略している。図６乃至図８は同実施例に係るウエストサイズ調節具Ｔの構成部品である基体４を示す。基体４の底面図は平面図と対称につき省略している。図９乃至図１１は同実施例に係るウエストサイズ調節具Ｔの構成部品であるスライダ２を示す。スライダ２の底面図は平面図と対称につき省略している。図１２及び図１３は同実施例に係るウエストサイズ調節具Ｔの構成部品である操作レバー１を示す。操作レバー１の底面図は平面図と対称につき省略している。図１４及び図１５は同実施例に係るウエストサイズ調節具Ｔを衣服のウエスト部に取着するためのフック部材５を示す。フック部材５の底面図は平面図と対称につき省略している。またフック部材５の左側面図は右側面図と対称につき省略している。図１６は本発明の実施例に係る本発明の実施例に係るウエストサイズ調節具における操作レバーと基体の上面との（ａ）開放時、及び、（ｂ）閉塞時の関係を示す説明断面図である。図１７は本発明の実施例に係るウエストサイズ調節具を衣服のウエスト部Ｗに取着した状態を示す、（ａ）平面図、及び（ｂ）正面側説明図であり、図１８は図１７に示す状態から、バネの反発弾性に抗して基体に対しスライダが移動した微調節状態を示す（ａ）平面図、及び（ｂ）正面側説明図である。図１９は、本発明の実施例に係るウエストサイズ調節具Ｔのウエスト部に対する他の取付構造であって、フック部材５のフック基体５０が外部に露出しない構成としたものである。
【００２２】
本発明の実施例に係るウエストサイズ調節具Ｔは、金属製のウエストサイズ調節具Ｔであり、衣服のウエスト調節部に設けた一本のウエスト帯を使用することで、長期間の体型変化に伴う大幅なウエストサイズの増減に応じた調節が行え、且つ、常に衣服の着用中でのウエストサイズの自動的な微調節を行うものである。
【００２３】
実施例に係るウエストサイズ調節具Ｔは、基本構成として、基体４と、該基体４に保持されるバネ３と、前記バネ３の付勢に抗して基体４上を摺動可能となるスライダ２とによって構成される。そして、前記スライダ２上には、操作レバー１が枢着される。本実施例に示す上記の操作レバー１、スライダ２、バネ３、基体４はいずれも、金属材料で形成されており、操作レバー１、スライダ２、基体４はいずれも真鍮製とし、バネ３はステンレスで形成している。以下、各構成について具体的に説明する。
【００２４】
本実施例に係るウエストサイズ調節具Ｔにおける基体４は、長さ寸法約３３ｍｍ、高さ寸法Ｈ１（即ち、基体４における基体底面４０からスライダガイド部４２までの高さ寸法）が約３ｍｍ程度の大きさを有するものであり、図６乃至図８に示すように、長手に連続する基体底板４０の両側部４０ａから垂直に基体側壁４１を形成し、基体側壁４１の上縁部から左右外側へ長板状のスライダガイド部４２を設けている。スライダガイド部４２の先端には、屈曲したスライダ抜止部４３を設けた構成である。
【００２５】
前記基体底板４０には、プレス加工によってバネ３を保持するためのバネ保持部４４を形成している。バネ保持部４４は、起立部４４ａと該起立部４４ａの上端から前方へ屈曲されたバネガイド片４４ｂとを有する。バネ保持部４４のプレス加工による形成に伴って、基体底板４０には抜き穴４０ｃが形成される。
基体底板４０と左右の基体側壁４１と、バネ保持部４４によって囲まれる空間をバネ収納空間４５とする。
また、基体底板４０の先端側には、衣服の生地に対して基体４の先端側を縫合糸Ｌ１で縫着するための縫着用穴部４８を設けている。
【００２６】
基体底板４０から連続して後方に徐々に太幅となる延設部４０ｂを形成し、更に延設部４０ｂから、後記フック用ガイド片４７を除き一定幅で連続する基体底板後部４０ｄを形成し、プレス加工で当該基体底板後部４０ｄを前方へ巻込み筒状とした高さ寸法Ｈ２が約２．８ｍｍ程度となるフック先端収納部４６を設けている。また、フック先端収納部４６の左右上端位置から斜め下方へ俯角３０°程度で突出する舌片状のフック用ガイド片４７を一体として設けている。
【００２７】
実施例に係るウエストサイズ調節具Ｔのスライダ２は、長さ約１８ｍｍ、幅約１６ｍｍ、高さ約６．５ｍｍ程度の大きさを有するものであり、図９乃至図１１に示すように、スライダ本体２０の先端部に下方へ折曲して延設したバネ抑え部２３を備える。
【００２８】
また、スライダ本体２０の左右側部のうち長手方向（前後方向）の先端から中央部にかけて、前記スライドガイド部４２に対してスライダ２を摺動させるためのガイド保持部２２を有する。ガイド保持部２２はスライダ本体２０の左右側面から下方へ折曲延設される本体側板２２ａと該本体側板２２ａの先端から内側へ折曲延設されるガイド下板２２ｂを備える。尚、本実施例では、本体側板２２ａの長手中央部位置にはガイド下板２２ｂのない切欠部２２ｃとしている。
【００２９】
スライダ本体２０のスライダ後端部２５における左右側部には、夫々、上方へ折曲延設した軸受部２１を設けている。軸受部２１は中央に軸穴２１ａを備える。
【００３０】
実施例に係るウエストサイズ調節具Ｔの操作レバー１は、長さ約１３ｍｍ、幅約１６．５ｍｍ程度の大きさを有するものであり、図１２及び図１３に示すように、板状を有し、後端側の左右側面にレバー軸部１０を突出形成し、レバー軸部１０よりも前方側に山状に湾曲する第一湾曲部１１を備え、第一湾曲部１１よりも先端側に、第一湾曲部１１と平行する谷状の第二湾曲部１２を有する。ここで、第一湾曲部１１より後端側をレバー後板部１５、第一湾曲部１１と第二湾曲部１２の間をレバー中板部１４、第二湾曲部１２より先端側をレバー先板部１３とする。
【００３１】
レバー後板部１５の後端には、本発明における係止部として、先端側に向かって幅が減少する山切状輪郭を有する係止歯１６を左右に亘って連続して形成してある。係止歯１６は、レバー後端部１５に対して約２５°〜３０°程度、内側へ傾斜して設けてある。
【００３２】
基体４のバネ保持部４４の先端をバネ３のバネ後端部３１に通し、バネ後端部３１がバネ保持部４４の起立部４４ａに当接した構成とする。
また、基体４のスライダガイド部４２を、スライダ２のガイド保持部２２によって摺動可能に握持して、スライダ２のバネ抑え部２３の内側面に、バネ３のバネ先端部３０が当接した構成とする。
【００３３】
当該構成によって、基体４に対してスライダ２が後方へスライドすると、バネ３の反発弾性力を生じ、スライダ２を前方へ復帰させる力が作用する。当該構成によって、ウエストサイズの微小な増加に対してウエストサイズに適合させる方向（即ちウエストを締め付ける方向）へスライダ２を移動させることができ、衣服等のウエストサイズを自動的に微調節できる。図１８は図１７の通常状態からウエストサイズが増加する方向へ、バネ３の反発弾性に抗して（バネ３を圧縮して）基体４に対しスライダ２が移動し、自動的な微調節を行った状態を示すものである。
【００３４】
操作レバー１の左右のレバー軸部１０は、スライダ２の軸受部２１の左右の軸穴２１ａに枢支した構成とする。図１６（ａ）に示すように、操作レバー１の先端側が上方に位置した状態で、スライダ２の上面２４と操作レバー１との間にウエスト帯ＷＢを通すための開口６が形成される。また、図１６（ｂ）に示すように、操作レバー１の先端側がスライダ２の上面２４（スライダ２に、スライド用のウエスト帯ＷＢが取着された場合には、ウエスト帯ＷＢの上面）に当接した状態で、係止歯１６が、スライダ２の上面２４に対して略垂直に配置される。
【００３５】
操作レバー１の先端を上方位置に持ち上げる操作によって、ウエスト部Ｗの打合せ部の一方に縫着されたウエスト帯ＷＢに対するスライダ２の位置を移動させ、操作レバー１の先端を前方へ倒すことにより新たな調節位置でウエスト帯ＷＢを固定することで、長期間の体型変化に伴う大幅なウエストサイズの増減に応じた調節手段として機能することができる。
【００３６】
本実施例に係るウエストサイズ調節具Ｔを衣服等のウエスト部Ｗに取着する際に、ウエストサイズ調節具Ｔを衣服の生地に対して取着するためのフック部材５を用いる。
フック部材５は、長さ約７ｍｍ、幅約１６ｍｍ程度の大きさを有するものであり、図１４及び図１５に示すように、板状のフック基板５０の左右両端から上方へ、先端が尖った形状を有するフック５１を起立させた構成である。対向する二本のフック５１間の幅寸法は、基体底板後部４０ｄの幅寸法より僅かに大きい寸法としてある。フック部材５のフック５１は、取付対象となる生地を貫き、ウエストサイズ調節具Ｔのフック用ガイド片４７の傾斜した内面に当たり、該フック用ガイド片４７に案内されて変形し、フック先端収納部４６内に嵌入される。
【００３７】
次に、ズボンのウエスト部Ｗに、上記実施例に係るウエストサイズ調節具Ｔを取着した構成について、図１７に示し、説明する。
本実施例においては、ズボンのウエスト部Ｗの前側左右位置にウエストサイズ調節部を有する。当該ウエストサイズ調節部は、打合せ部を構成するズボンの内側生地Ｓ１及び外側生地Ｓ２を有する。
【００３８】
内側生地Ｓ１の外面Ｓ１０には、ウエスト帯ＷＢが取着される。ウエスト帯ＷＢをスライダ２の上面２４と操作レバー１との間に通した状態で、ウエスト帯ＷＢの両端を、内側生地Ｓ１の外面Ｓ１０に縫合糸Ｌ２で縫着する。
【００３９】
本実施例に係るウエストサイズ調節具Ｔを、その基体４の底面が外側生地Ｓ２の内面Ｓ２０に当接するように配置し、外側生地Ｓ２の外面側から、フック部材５を内側に向けて貫通し、ウエストサイズ調節具Ｔのフック用ガイド片４７の傾斜した内面によってフック部材５のフック５１を変形させて、フック先端収納部４６内に嵌入した構成とする。ウエストサイズ調節具Ｔの先端側を衣服の前側（中央側）とし、フック用ガイド片４７を有する後端側を左右の側方として配置し、縫着用穴部４８を使用してウエストサイズ調節具Ｔを縫合糸Ｌ１で縫着する。
【００４０】
上記した取付構造によって、長期間にわたる体型変化に対応して、大幅にウエストサイズを変更する際には、ウエスト帯ＷＢと内側生地Ｓ１との間に指を入れて操作レバー１を起こして開放状態とし、係止歯１６とウエスト帯ＷＢとの接触を解き、ウエスト帯ＷＢに対してスライダ２を摺動させ、着用者のウエストサイズに適した位置にスライダ２を位置決めして、操作レバー１を倒して閉塞状態として、係止歯１６をウエスト帯ＷＢに噛み込ませて挟持固定することで、図１７に示すように、ウエスト帯ＷＢ上でスライダ２が移動できるスライド範囲Ｄ２で、ウエストサイズを調節することができる。
【００４１】
また、着用時において、着座の際や食後等一時的に僅かにウエストが増加する際には、図１８に示すように、必要なだけ自動的に、バネ３の反発弾性に抗して、基体４に対してスライダ２がウエストの側方（スライダ２の後方）に移動して、着用者のウエストサイズに適合する。また、ウエストが僅かに減少すると、バネ３の弾性力によって、スライダ２が前方側となる元の位置に復帰する。
当該動作によって、図１７に示すように、バネが圧縮される範囲をスライド範囲Ｄ１とし、衣服のウエストサイズの微調節がスライド範囲Ｄ１で可能となる。
【００４２】
また、本実施例においては、ウエスト帯ＷＢには一般的なスライダレールを設けない構造でウエスト調節可能な構成としたことから、より簡素な構成とし、製造段階での工数を低減することで、より安価に、ウエストサイズ調節具Ｔを提供することができる。
【００４３】
また、本実施例においては、フック５１がフック先端収納部４６に格納される構成としたことによって、金属製のフック５１が人の手に触れることがなく、十分な安全性を確保することができる。
【００４４】
また、上記実施例においては、フック部材５が外側生地Ｓ２の外側から生地を貫通する構成とすることで、フック基体５０が外部に露出する構成としており、フック基体５０の外観品質を向上させたり、種々の装飾を加えたりすることによって、意匠性を向上させることができる。
一方で、図１９に示すように、フック部材５のフック基体５０上に重ねて他の生地を配置することにより、外観上フック基体５０を隠蔽することもできる。
【００４５】
尚、本発明は以上の実施例に限定されるものではなく、設計的事項の範囲で、操作レバー１、スライダ２、バネ３、基体４、フック部材５等の各部の形状、寸法を変更することができる。また、これらの材質は上記実施例に示した真鍮等に限らず、鉄や合金等、種々の金属を利用することができる。
【００４６】
また、本発明においては、例えば、基体４にフック先端収納部４６を設けずに縫着用穴部４８を形成して、基体４の先端及び後端の双方を縫合糸Ｌ１で縫着する構成とすることもできるし、実施例１の基体４の先端側の縫着用穴部４８に代えてフック先端収納部４６を形成し、基体４の先端及び後端の双方をフック部材５で夫々固定する構成とすることもできる。
【００４７】
また、縫合糸Ｌ１を用いる場合には、例えば、バネ抑え部２３と縫合糸Ｌ１との接触を避けるためにバネ抑え部２３の長さを縫合糸Ｌ１に接触しない程度に短く設定したり、基体底板４０の先端を前方へ延設して縫着用穴部４８の位置をバネ抑え部２３の接触しない前方へ設定したりすることができる。
【符号の説明】
【００４８】
１        操作レバー
１０      レバー軸部
１１      第一湾曲部
１２      第二湾曲部
１３      レバー先板部
１４      レバー中板部
１５      レバー後板部
１６      係止歯
２        スライダ
２０      スライダ本体
２１      軸受部
２１ａ    軸穴
２２      ガイド保持部
２２ａ    本体側板
２２ｂ    ガイド下板
２２ｃ    切欠部
２３      バネ抑え部
２４      上面
２５      スライダ後端部
３        バネ
３０      バネ先端部
３１      バネ後端部
４        基体
４０      基体底板
４０ａ    両側部
４０ｂ    延設部
４０ｃ    抜き穴
４０ｄ    基体底板後部
４１      基体側壁
４２      スライダガイド部
４３      スライダ抜止部
４４      バネ保持部
４５      バネ収納空間
４６      フック先端収納部
４７      フック用ガイド片
４８      縫着用穴部
５        フック部材
５０      フック基体
５１      フック
６        開口
Ｄ１      スライド範囲
Ｄ２      スライド範囲
Ｗ        ウエスト部
ＷＢ      ウエスト帯
Ｔ        ウエストサイズ調節具
Ｓ１      内側生地
Ｓ１０    外面
Ｓ２      外側生地
Ｓ２０    内面
Ｌ１      縫合糸
Ｌ２      縫合糸
Ｈ１      高さ寸法
Ｈ２      高さ寸法
【図１】
0005548063.tif 000002
【図２】
0005548063.tif 000003
【図３】
0005548063.tif 000004
【図４】
0005548063.tif 000005
【図５】
0005548063.tif 000006
【図６】
0005548063.tif 000007
【図７】
0005548063.tif 000008
【図８】
0005548063.tif 000009
【図９】
0005548063.tif 000010
【図１０】
0005548063.tif 000011
【図１１】
0005548063.tif 000012
【図１２】
0005548063.tif 000013
【図１３】
0005548063.tif 000014
【図１４】
0005548063.tif 000015
【図１５】
0005548063.tif 000016
【図１６】
0005548063.tif 000017
【図１７】
0005548063.tif 000018
【図１８】
0005548063.tif 000019
【図１９】
0005548063.tif 000020